(57)【要約】【課題】便器本体をトイレの壁面に近づけて良好に既存の排水立て管に接続することができ、トイレ空間を広く使うことのできる水洗便器を提供する。【解決手段】便器本体４の台座４ａの内側に下向きに開口する排水口４ｄを設け、この排水口４ｄに別体のソケット７の流入口７ａを接続して、ソケット７の流出口７ｃを水平方向に横向きにして開口させ、便器本体の台座４ａの側面に形成した開口４ｂにソケット７の流出口７ｃを臨ませて、ソケットの流出口７ｃを既存の排水立て管８に継ぎ手９を介して接続する。【選択図】図３
2009174186.tif 000002
【特許請求の範囲】
【請求項１】
便器本体の台座の内側に下向きに開口する排水口を設け、該排水口に別体のソケットの流入口を接続して該ソケットの流出口を水平方向に開口させてなる水洗便器において、
前記便器本体の台座の左右の側面の少なくとも一方側に開口を形成し、該開口に前記ソケットの流出口を臨ませたことを特徴とする水洗便器。
【請求項２】
便器本体の後部に下向きに開口する排水口を設け、該排水口に別体のソケットの流入口を接続して該ソケットの流出口を水平方向に開口させてなる水洗便器において、
前記便器本体の後部の左右側面をカバーで覆蓋し、前記ソケットの流出口を左右何れか一方側のカバーに向け、該一方側のカバーには開口を形成し、該開口に前記ソケットの流出口を臨ませたことを特徴とする水洗便器。
【発明の詳細な説明】
【技術分野】
【０００１】
本発明は、便器後面側を壁に近づけて排水路をトイレ内に立設されている排水立て管に接続できる水洗便器に関するものである。
【背景技術】
【０００２】
従来、壁面に設けられた排水配管の入口端部と水洗便器本体の排水路の出口端部とを連通させる排水ソケットを備えた水洗便器が特許文献１に開示されている。
この水洗便器の排水ソケットは、排水路の出口端部に連結される流入口と排水配管の入口端部に連結される流出口とを備えた排水ソケット本体と、この排水ソケット本体を下方から支持する支持部材とを有して、支持部材の高さ調整手段により排水ソケットの床面からの高さを調整できるように構成されている。
【特許文献１】特開２００５−４８４０７号公報
【発明の開示】
【発明が解決しようとする課題】
【０００３】
上記特許文献１に開示されている構造では、壁面に設けられた排水配管に排水ソケット本体を接続して壁側へ排水する、所謂、壁排水構造に関するものであり、トイレ内に立設されている排水立て管に排水ソケットを接続して、排水立て管を通し排水するものではなかった。
なお、従来、図１６の平面図で示すように、トイレ内に立設されている排水立て管８に便器本体４の後面に後向きに開口されている排水口を接続して、排水立て管８を通し排水するように構成するためには、湾曲状のベンド管１５を便器本体４の排水口に接続し、このベンド管１５を、排水立て管８に連結されたＹ字継ぎ手９に接続して排水路を形成させることとなり、このようなベンド管１５を用いる場合には、トイレの壁面２ｃと便器本体４の後面間に相当の空間が必要となり、この空間の寸法ａが大となって、便器本体４と壁面２ｃ間に無駄な空間が形成されてしまい、その分、便器本体４の壁面２ｃからの前出寸法が大きくなり、便器本体４の前方側のトイレ空間を狭めてしまうという問題点があった。
【課題を解決するための手段】
【０００４】
本発明は、便器を壁に近づけてトイレ内に設置されている排水立て管に接続できる水洗便器を提供することを目的の１つとし、この目的の少なくとも一部を達成するために以下の手段を採った。
本発明は、便器本体の台座の内側に下向きに開口する排水口を設け、該排水口に別体のソケットの流入口を接続して該ソケットの流出口を水平方向に開口させてなる水洗便器において、前記便器本体の台座の左右の側面の少なくとも一方側に開口を形成し、該開口に前記ソケットの流出口を臨ませたことを要旨とする。
【発明の効果】
【０００５】
本発明では、便器本体の台座の側面に開口を形成し、この開口に、便器の排水口に接続したソケットの流出口を臨ませたことにより、便器の排水口からの排水をソケット内を通して便器本体の真横へ流すことができ、便器本体の真横に立設されている排水立て管に良好にソケットを接続することができて、便器本体の後面をトイレの壁面に近づけて設置できるため、壁面からの便器の前出寸法が小さくなり、便器本体前方のトイレ空間を広く確保することができるものとなる。
【０００６】
また、便器本体の後部に下向きに開口する排水口を設け、該排水口に別体のソケットの流入口を接続して該ソケットの流出口を水平方向に開口させてなる水洗便器において、前記便器本体の後部の左右側面をカバーで覆蓋し、前記ソケットの流出口を左右何れか一方側のカバーに向け、該一方側のカバーには開口を形成し、該開口に前記ソケットの流出口を臨ませた構成とすることもできる。
こうすれば、便器本体の後部側面に覆設されているカバーに開口を形成すれば良く、この開口にソケットの流出口を臨ませて、便器本体の排水口からの排水をソケットを通し真横に流すことができ、ソケットの流出口を良好に排水立て管に接続できて、トイレの壁面に近づけて便器本体の前面のトイレ空間を広く確保することができるものとなる。
【発明を実施するための最良の形態】
【０００７】
次に、本発明を実施するための最良の形態を実施例を用いて説明する。
【実施例１】
【０００８】
図１，図２，図３は第１実施例を示すものであり、図１はトイレの平面構成図であり、図２は側面構成図であり、図３は正面構成図である。なお、図４は、排水立て管を除いた状態のタンク式の水洗便器の側面構成図である。
トイレ１は、壁面２ａ，２ｂ，２ｃに囲まれて形成され、内部の床面３上には便器本体４が設置されており、この便器本体４の後部上面にはロータンク６が立設されている。
また、トイレ１内の壁面２ａ側には既存の排水立て管８が立設されている。なお、図中便座，便蓋は省略してある。
便器本体４の台座４ａの内側には、排水路４ｃの下流端である排水口４ｄが下向きに開口されており、また、この排水口４ｄの右側面には、台座４ａに逆Ｕ字状に切り欠いた開口４ｂが形成されている。
【０００９】
前記排水立て管８は既存のものであり、その位置を変えることはできないが、本例では、排水口４ｄに別体のソケット７を接続し、ソケット７の流出口７ｃを壁面２ｃと平行に右側方に向けて配置して、このソケット７の流出口７ｃを、排水立て管８に接続したＹ字継ぎ手９に接続させて、排水口４ｄから流下する排水をソケット７を介して便器本体４の真横に流すように構成して、排水を排水立て管８を通し排水できるようにしたものである。
【００１０】
別体のソケット７は、図５に平面図で、図６に側面断面図で、また図７に背面図で示すような構造となっており、上端には流入口７ａが開口されており、この流入口７ａの外周にはパッキン７ｄが設けられて、このパッキン７ｄ内に便器本体の排水口４ｄを水密状に差込み接続できるように構成されている。
流入口７ａから湾曲状に下方に延びて曲管部７ｂが一体形成されており、曲管部７ｂの先端は水平方向に開口した流出口７ｃとなっている。
このような樹脂製のソケット７を、便器本体４を裏返しにして、便器本体４の排水口４ｄに流入口７ａを接続して取り付けておくことができる。なお、ソケット７の流出口７ｃを便器本体の台座４ａに形成した切り欠き状の開口４ｂ側へ臨ませてソケット７を取り付けておく。
【００１１】
なお、既存の排水立て管８には、図８に示すように、Ｙ字継ぎ手９が接続されている。即ち、Ｙ字継ぎ手９の上端９ａおよび下端９ｂに排水立て管８が接続されて、Ｙ字継ぎ手９の水平連結部９ｃが水平方向に開口した状態となっており、このＹ字継ぎ手９の水平連結部９ｃに継ぎ手１０を介在させてソケット７の流出口７ｃを水密状に接続することができる。
【００１２】
このように、従来のようなベンド管１５を用いることなく、別体のソケット７を用いて、ソケット７を便器本体の排水口４ｄに取り付け、ソケット７の流出口７ｃを横向きにして便器本体の台座４ａに形成した開口４ｂに臨ませておけば、Ｙ字継ぎ手９および継ぎ手１０を、この開口４ｂ内に挿入させて、容易にソケット７の流出口７ｃと接続することができ、良好に既存の排水立て管８に排水路を接続して便器本体４からの排水を排水立て管８を通し排水することができるものとなり、従来のようなベンド管１５を用いないために便器本体４の後面を壁面２ｃに近づけて設置することができ、そのため、便器本体４の前面側には広い空間を確保することができ、トイレ１内の空間を広く使うことができるものとなる。
【００１３】
なお、便器本体の台座４ａに形成した開口４ｂは、Ｙ字継ぎ手９或いは継ぎ手１０或いはソケットの流出口７ｃを通すことのできる程度の開口であれば良く、逆Ｕ字状に切り欠いた形状に限らず、円形状等に切り欠いたものであっても良い。また、この開口４ｂは小さい方がソケット７などを隠しやすく、便器本体の施工後の意匠性が良好なものとなる。
なお、本例では、便器本体４の右側方に既存の排水立て管８が立設されている場合を例示しているが、排水立て管８が便器本体４の図示左側方に立設されているような場合には、便器本体４の台座４ａの左側面に切り欠き状に開口４ｂを形成させておけば良い。
【００１４】
なお、便器本体４の台座４ａの左右両側面に開口４ｂ，４ｂを予め形成させておけば、現場において排水立て管８が左右の何れ側にあっても対応することができるものとなる。なお、その場合は、使用しない側の開口４ｂは何らかの手段で蓋をすることとなる。
また、さらには便器本体４の台座４ａの後面側にも開口を形成させておけば、ソケット７の流出口７ｃを壁面２ｃ側に向くように取り付け、壁面２ｃに配設されている壁排水管に接続して、所謂、壁排水構造とすることもできる。
【実施例２】
【００１５】
次に、図９の平面図で、また図１０の側面図で示すものは、ロータンクを有さない便器本体を設置する場合である。なお、図１１は、排水立て管を除いた状態の便器の側面構成図である。
便器本体４の上面には便座と便蓋５ａが設けられており、便蓋５ａの後部には、フラッシュバルブや温水洗浄装置を内装したボックス１１が設けられている。
本例の便器本体４においても、台座４ａの内側には後方に延びて排水トラップ４ｃが形成され、排水トラップ４ｃの下流端には下向きに開口した排水口４ｄが形成されている。また、この排水口４ｄの図示右側面の台座４ａには、四角形状の開口４ｂが形成されている。
【００１６】
便器本体４を設置する前に便器本体４を裏返しにして、排水口４ｄにソケット７の流入口７ａを接続し、ソケット７の流出口７ｃを横向きに配置して開口４ｂに臨ませておく。この状態で便器本体４を設置して、排水立て管８側のＹ字継ぎ手９に継ぎ手１０を介在させてソケット７の流出口７ｃを接続することができ、便器本体４の後面を壁面２ｃに近づけた状態で、ソケット７を介して既存の排水立て管８に通じる排水路を確保することができ、便器本体４の排水口４ｄから流下する排水をソケット７を介して真横に流して、排水立て管８に排水することができるものである。
【００１７】
本例においても、便器本体４を壁面２ｃに近づけて設置できるため、便器本体４の前側のトイレ空間を広く確保することができるものとなる。
なお、本例においても、排水立て管８が図示左側面側に立設されているトイレにおいては、便器本体の台座４ａの左側面に四角形状の開口４ｂを形成させておけば良い。
また、台座４ａの左右の側面にそれぞれ開口４ｂ，４ｂを形成させておき、現場の排水立て管８が左右何れか側にある場合にも対応させることができるように構成しておくこともできる。なお、開口４ｂは切り欠き状に形成させても良い。
【００１８】
次に、図１２の平面図で、また図１３及び図１４の側面図で示すものは、第２実施例の変更例を示すものである。
この便器本体４は、台座４ａの後部左右側面にカバー１２が覆設された構造のものであり、便器本体４の後部部位には、下向きに排水口４ｄが開口されており、この下向きの排水口４ｄに対し別体のソケット７の流入口７ａを接続して、ソケット７の流出口７ｃを横向きにして右側面側に流出口７ｃを開口させたものであり、この流出口７ｃに対向する右側面のカバー１２には、予め四角形状の開口１２ａを形成させておく。
本例においては、便器本体４を裏返しにすることなくソケット７の接続が可能である。
即ち、カバー１２を外し、排水口４ｄにソケット７の流入口７ａを接続し、ソケット７の流出口７ｃを横向きに配置し、その後、カバー１２を取り付ければ良い。
【００１９】
本例においても同様に、カバー１２の開口１２ａ内に排水立て管８側のＹ字継ぎ手９或いは継ぎ手１０を差し込んでソケット７の流出口７ｃに接続させることができるものである。
なお、開口１２ａは、図１５の側面図に示すように、切り欠き状に形成させても良い。その場合は、排水立て管８と接続した後、カバー１２を取り付けることもできる。
なお、カバー１２に開口１２ａを形成させるのは簡単であり、現場においてカバー１２に開口１２ａを形成させて施工することもできる。
【００２０】
本例においても、便器本体の排水口４ｄから流下する排水をソケット７を通して真横に流して、良好に排水立て管８に排水することができ、便器本体４をトイレの壁面２ｃに近づけて設置することができ、便器本体４の前面側のトイレ空間を広く確保することができるものとなる。
【図面の簡単な説明】
【００２１】
【図１】タンク式の水洗便器の設置状態の平面構成図である。
【図２】図１の側面構成図である。
【図３】図１の正面構成図である。
【図４】排水立て管を除いた状態のタンク式の水洗便器の側面構成図である。
【図５】ソケットの平面構成図である。
【図６】ソケットの側面縦断面構成図である。
【図７】ソケットの背面図である。
【図８】排水立て管側のＴ字継ぎ手の構成図である。
【図９】第２実施例の便器本体の設置状態の平面構成図である。
【図１０】図９の側面構成図である。
【図１１】排水立て管を除いた状態の第２実施例の水洗便器の側面構成図である。
【図１２】後方側面がカバーで覆われた便器本体の平面構成図である。
【図１３】図１２の側面構成図である。
【図１４】図１２の反対側の側面構成図である。
【図１５】開口の形状の異なるカバーで覆われた便器本体の側面構成図である。
【図１６】従来のベンド管を用いた接続構造を示す便器本体の設置状態の平面構成図である。
【符号の説明】
【００２２】
１  トイレ
２ａ，２ｂ，２ｃ  壁面
３  床面
４  便器本体
４ａ  台座
４ｂ  開口
４ｃ  排水路
４ｄ  排水口
６  ロータンク
７  ソケット
７ａ  流入口
７ｂ  曲管部
７ｃ  流出口
７ｄ  パッキン
８  排水立て管
９  Ｙ字継ぎ手
９ｃ  水平連結部
１１  ボックス
１２  カバー
１２ａ  開口
【図１】
2009174186.tif 000003
【図２】
2009174186.tif 000004
【図３】
2009174186.tif 000005
【図４】
2009174186.tif 000006
【図５】
2009174186.tif 000007
【図６】
2009174186.tif 000008
【図７】
2009174186.tif 000009
【図８】
2009174186.tif 000010
【図９】
2009174186.tif 000011
【図１０】
2009174186.tif 000012
【図１１】
2009174186.tif 000013
【図１２】
2009174186.tif 000014
【図１３】
2009174186.tif 000015
【図１４】
2009174186.tif 000016
【図１５】
2009174186.tif 000017
【図１６】
2009174186.tif 000018